【手続補正書】
【提出日】平成28年12月14日(2016.12.14)
【手続補正１】
【補正対象書類名】特許請求の範囲
【補正対象項目名】全文
【補正方法】変更
【補正の内容】
【特許請求の範囲】
【請求項１】
インターフェースデバイスに関する情報を管理する方法であって、前記方法は、
前記インターフェースデバイスのユーザと人物の目下の物理的遭遇、および前記ユーザと人物の非物理的遭遇のうちの１つを検出することと、
目下の物理的遭遇が検出される場合、前記目下の物理的遭遇が最初の遭遇であるか、後続の遭遇であるかを決定することと、
前記目下の物理的遭遇が最初の遭遇である場合、以前遭遇した人物のデータベースに前記人物に関連付けられたコンテンツを追加することと、
前記目下の物理的遭遇が後続の遭遇である場合、すなわち目下の非物理的遭遇が検出される場合、前記人物が前記ユーザによって知られているかどうかを決定することと、
前記人物が前記ユーザによって知られていない場合、前記人物に対応する情報を前記インターフェースデバイスに提示することと、
を備える、方法。
【請求項２】
目下の物理的遭遇を検出することは、
前記ユーザのボディ部から感知された電気的活動が前記ユーザの第１のアクションを示すかどうかを決定することと、
前記ユーザのボディ部から感知された動き活動が前記ユーザの第２のアクションを示すかどうかを決定することと、
のうちの１つまたは両方を備える、請求項１に記載の方法。
【請求項３】
感知された電気的活動が第１のアクションを示すかどうかを決定することは、
前記第１のアクションに対応する電気的活動の基準と、前記感知された電気的活動を比較することと、
前記基準が満たされるとき、前記第１のアクションが生じたと結論付けることと、
を備える、請求項２に記載の方法。
【請求項４】
感知された動き活動が第２のアクションを示すかどうかを決定することは、
前記第２のアクションに対応する動き活動の基準と、前記感知された動き活動を比較することと、
前記基準が満たされるとき、前記第２のアクションが生じたと結論付けることと、
を備える、請求項２に記載の方法。
【請求項５】
前記第１のアクションは掌握することを備え、前記第２のアクションが上下運動を備える、請求項２に記載の方法。
【請求項６】
目下の非物理的遭遇を検出することは、人物の属性が前記ユーザと前記人物との間の接近した空間的関係に対応する基準を満たすかどうかを決定することを備える、請求項１に記載の方法。
【請求項７】
属性は、前記人物の画像、または前記人物のサウンド、のうちの１つまたは複数を備える、請求項１に記載の方法。
【請求項８】
前記目下の物理的遭遇が最初の遭遇であるか、後続の遭遇であるかを決定することは、
前記ユーザによって以前遭遇された人々の画像のデータベースにおける画像と、前記人物の画像を比較することと、
前記人物の前記画像が、前記データベースにおける画像に一致しない場合、前記目下の物理的遭遇が最初の遭遇であると結論付けることと、
前記人物の前記画像が、前記データベースにおける画像に一致する場合、前記目下の物理的遭遇が後続の遭遇であると結論付けることと、
を備える、請求項１に記載の方法。
【請求項９】
前記人物が前記ユーザによって知られているかどうかを決定することは、
前記人物の目下の属性を取得することと、
前記人物の前記属性に一致するデータベース内の属性に関連付けられたタグのために、既知の人物の前記データベースを走査することと、ここにおいて、前記タグは、前記人物が前記ユーザによって知られていることを示す、
を備える、請求項１に記載の方法。
【請求項１０】
前記目下の属性は、前記人物の画像、および前記人物のサウンド、のうちの少なくとも１つを備える、請求項９に記載の方法。
【請求項１１】
前記インターフェースデバイスに情報を提示することは、前記人物の属性に一致するデータベース内の属性に関連付けられた情報のために、前記データベースを走査することを備え、前記情報は、前記人物の識別、および前記ユーザと前記人物の以前の遭遇の概要、のうちの少なくとも１つを含む、請求項１に記載の方法。
【請求項１２】
前記情報は、画像、音声、またはビデオのうちの１つまたは複数として提示される、請求項１１に記載の方法。
【請求項１３】
インターフェースデバイスに関する情報を管理するためのシステムであって、前記システムは、
前記インターフェースデバイスのユーザと人物の目下の物理的遭遇の１つを検出するための手段と、
前記ユーザと人物の非物理的遭遇を検出するための手段と、
検出された目下の物理的遭遇が最初の遭遇であるか、後続の遭遇であるかを決定するための手段と、
前記目下の物理的遭遇が最初の遭遇であるとき、以前遭遇した人物のデータベースに前記人物に関連付けられたコンテンツを追加するための手段と、
前記目下の物理的遭遇が後続の遭遇である、すなわち目下の非物理的遭遇が検出されるとき、前記人物が前記ユーザによって知られているかどうかを決定するための手段と、
前記人物が前記ユーザによって知られていないとき、前記人物に対応する情報を前記インターフェースデバイスに提示するための手段と、
を備える、システム。
【請求項１４】
目下の物理的遭遇を検出するための前記手段は、
前記ユーザのボディ部から感知された電気的活動が前記ユーザの第１のアクションを示すかどうかを決定するための手段と、
前記ユーザのボディ部から感知された動き活動が前記ユーザの第２のアクションを示すかどうかを決定するための手段と、
のうちの１つまたは両方を備える、請求項１３に記載のシステム。
【請求項１５】
インターフェースデバイスに関する情報を管理するためのコンピュータプログラム製品であって、前記製品は、
請求項１乃至１２のいずれか１項に記載の方法を行うためのコードを備える、１つまたは複数のコンピュータ可読媒体
を備える、コンピュータプログラム製品。
【手続補正２】
【補正対象書類名】明細書
【補正対象項目名】００４３
【補正方法】変更
【補正の内容】
【００４３】
[0048]先の説明は、あらゆる当業者が本明細書で説明されている様々な態様を実施することを可能にするように提供されている。これらの態様への様々な変更は当業者には容易に明らかになり、本明細書で定義されている包括的な本質は他の態様に適用されうる。したがって、特許請求の範囲は、本明細書で示されている態様を限定されるように意図されておらず、特許請求の範囲の用語と一貫した最大範囲であると認められるべきであり、ここにおいて、単数の要素に対する参照は、「１つおよび１つだけ」を、そのように特別に述べられない限りは意味するように意図されておらず、むしろ「１つまたは複数」を意味するように意図されている。他の方法で特別に述べられていない限り、「いくつか」という用語は、１つまたは複数を指す。当業者に既知、または後に既知となる本開示全体を通して説明されている様々な態様の要素に対するすべての構造的および機能的な均等物は参照によって本明細書に明示的に組み込まれ、請求項によって包含されるように意図されている。さらに本明細書で開示されているものが、そのような開示が請求項に明確に記載されているか否かに関わらず、公共に捧げられるようには意図されていない。どの請求項の要素も、その要素が「〜のための手段」という表現を使用して明示的に記載されない限り、ミーンズプラスファンクションとして解釈されるものではない。
以下に、本願出願の当初の特許請求の範囲に記載された発明を付記する。
［Ｃ１］
インターフェースデバイスに関する情報を管理するための方法であって、前記方法は、
前記インターフェースデバイスのユーザと人物の目下の物理的遭遇、および前記ユーザと人物の非物理的遭遇のうちの１つを検出することと、
目下の物理的遭遇が検出される場合、前記目下の物理的遭遇が最初の遭遇であるか、後続の遭遇であるかを決定することと、
前記目下の物理的遭遇が最初の遭遇である場合、以前遭遇した人物のデータベースに前記人物に関連付けられたコンテンツを追加することと、
前記目下の物理的遭遇が後続の遭遇である場合、すなわち目下の非物理的遭遇が検出される場合、前記人物が前記ユーザによって知られているかどうかを決定することと、
前記人物が前記ユーザによって知られていない場合、前記人物に対応する情報を前記インターフェースデバイスに提示することと、
を備える、方法。
［Ｃ２］
目下の物理的遭遇を検出することは、
前記ユーザのボディ部から感知された電気的活動が前記ユーザの第１のアクションを示すかどうかを決定することと、
前記ユーザのボディ部から感知された動き活動が前記ユーザの第２のアクションを示すかどうかを決定することと、
のうちの１つまたは両方を備える、Ｃ１に記載の方法。
［Ｃ３］
感知された電気的活動が第１のアクションを示すかどうかを決定することは、
前記第１のアクションに対応する電気的活動の基準と、前記感知された電気的活動を比較することと、
前記基準が満たされるとき、前記第１のアクションが生じたと結論付けることと、
を備える、Ｃ２に記載の方法。
［Ｃ４］
感知された動き活動が第２のアクションを示すかどうかを決定することは、
前記第２のアクションに対応する動き活動の基準と、前記感知された動き活動を比較することと、
前記基準が満たされるとき、前記第２のアクションが生じたと結論付けることと、
を備える、Ｃ２に記載の方法。
［Ｃ５］
前記第１のアクションは掌握することを備え、前記第２のアクションが上下運動を備える、Ｃ２に記載の方法。
［Ｃ６］
目下の非物理的遭遇を検出することは、人物の属性が前記ユーザと前記人物との間の接近した空間的関係に対応する基準を満たすかどうかを決定することを備える、Ｃ１に記載の方法。
［Ｃ７］
属性は、前記人物の画像、または前記人物のサウンド、のうちの１つまたは複数を備える、Ｃ１に記載の方法。
［Ｃ８］
前記目下の物理的遭遇が最初の遭遇であるか、後続の遭遇であるかを決定することは、
前記ユーザによって以前遭遇された人々の画像のデータベースにおける画像と、前記人物の画像を比較することと、
前記人物の前記画像が、前記データベースにおける画像に一致しない場合、前記目下の物理的遭遇が最初の遭遇であると結論付けることと、
前記人物の前記画像が、前記データベースにおける画像に一致する場合、前記目下の物理的遭遇が後続の遭遇であると結論付けることと、
を備える、Ｃ１に記載の方法。
［Ｃ９］
前記人物が前記ユーザによって知られているかどうかを決定することは、
前記人物の目下の属性を取得することと、
前記人物の前記属性に一致するデータベース内の属性に関連付けられたタグのために、既知の人物の前記データベースを走査することと、ここにおいて、前記タグは、前記人物が前記ユーザによって知られていることを示す、
を備える、Ｃ１に記載の方法。
［Ｃ１０］
前記目下の属性は、前記人物の画像、および前記人物のサウンド、のうちのすくなくとも１つを備える、Ｃ９に記載の方法。
［Ｃ１１］
前記インターフェースデバイスに情報を提示することは、前記人物の属性に一致するデータベース内の属性に関連付けられた情報のために、前記データベースを走査することを備え、前記情報は、前記人物の識別、および前記ユーザと前記人物の以前の遭遇の概要、のうちの少なくとも１つを含む、Ｃ１に記載の方法。
［Ｃ１２］
前記情報は、画像、音声、またはビデオのうちの１つまたは複数として提示される、Ｃ１１に記載の方法。
［Ｃ１３］
インターフェースデバイスに関する情報を管理するためのシステムであって、前記システムは、
前記インターフェースデバイスのユーザと人物の目下の物理的遭遇の１つを検出するための手段と、
前記ユーザと人物の非物理的遭遇を検出するための手段と、
検出された目下の物理的遭遇が最初の遭遇であるか、後続の遭遇であるかを決定するための手段と、
前記目下の物理的遭遇が最初の遭遇であるとき、以前遭遇した人物のデータベースに前記人物に関連付けられたコンテンツを追加するための手段と、
前記目下の物理的遭遇が後続の遭遇である、すなわち目下の非物理的遭遇が検出されるとき、前記人物が前記ユーザによって知られているかどうかを決定するための手段と、
前記人物が前記ユーザによって知られていないとき、前記人物に対応する情報を前記インターフェースデバイスに提示するための手段と、
を備える、システム。
［Ｃ１４］
目下の物理的遭遇を検出するための前記手段は、
前記ユーザのボディ部から感知された電気的活動が前記ユーザの第１のアクションを示すかどうかを決定するための手段と、
前記ユーザのボディ部から感知された動き活動が前記ユーザの第２のアクションを示すかどうかを決定するための手段と、
のうちの１つまたは両方を備える、Ｃ１３に記載のシステム。
［Ｃ１５］
感知された電気的活動が第１のアクションを示すかどうかを決定するための前記手段は、
前記第１のアクションに対応する電気的活動の基準と、前記感知された電気的活動を比較することと、
前記基準が満たされるとき、前記第１のアクションが生じたと結論付けることと、
を行うように構成される、Ｃ１４に記載のシステム。
［Ｃ１６］
感知された動き活動が第２のアクションを示すかどうかを決定するための前記手段は、
前記第２のアクションに対応する動き活動の基準と、前記感知された動き活動を比較することと、
前記基準が満たされるとき、前記第２のアクションが生じたと結論付けることと、
を行うように構成される、Ｃ１４に記載のシステム。
［Ｃ１７］
目下の非物理的遭遇を検出するための前記手段は、人物の属性が前記ユーザと前記人物との間の接近した空間的関係に対応する基準を満たすかどうかを決定するように構成される、Ｃ１３に記載のシステム。
［Ｃ１８］
前記目下の物理的遭遇が最初の遭遇であるか、後続の遭遇であるかを決定するための前記手段は、
前記ユーザによって以前遭遇された人々の画像のデータベースにおける画像と、前記人物の画像を比較することと、
前記人物の前記画像が、前記データベースにおける画像に一致しない場合、前記目下の物理的遭遇が最初の遭遇であると結論付けることと、
前記人物の前記画像が、前記データベースにおける画像に一致する場合、前記目下の物理的遭遇が後続の遭遇であると結論付けることと、
を行うように構成される、Ｃ１３に記載のシステム。
［Ｃ１９］
前記人物が前記ユーザによって知られているかどうかを決定するための前記手段は、
前記人物の目下の属性を取得することと、
前記人物の前記属性に一致するデータベース内の属性に関連付けられたタグのために、既知の人物の前記データベースを走査することと、ここにおいて、前記タグは、前記人物が前記ユーザによって知られていることを示す、
を行うように構成される、Ｃ１３に記載のシステム。
［Ｃ２０］
前記インターフェースデバイスに情報を提示するための手段は、前記人物の属性に一致するデータベース内の属性に関連付けられた情報のために、前記データベースを走査するように構成され、前記情報は、前記人物の識別、および前記ユーザと前記人物の以前の遭遇の概要、のうちの少なくとも１つを含む、Ｃ１３に記載のシステム。
［Ｃ２１］
インターフェースデバイスに関する情報を管理するためのシステムであって、前記システムは、
前記インターフェースデバイスのユーザと人物の目下の物理的遭遇を検出することと、
前記ユーザと人物の非物理的遭遇を検出することと、
検出された目下の物理的遭遇が最初の遭遇であるか、後続の遭遇であるかを決定することと、
前記目下の物理的遭遇が最初の遭遇であるとき、以前遭遇した人物のデータベースに前記人物に関連付けられたコンテンツを追加することと、
前記目下の物理的遭遇が後続の遭遇である、すなわち目下の非物理的遭遇が検出されるとき、前記人物が前記ユーザによって知られているかどうかを決定することと、
前記人物が前記ユーザによって知られていない場合、前記人物に対応する情報を前記インターフェースデバイスに提示することと、
を行うように構成された１つまたは複数の処理システム
を備える、システム。
［Ｃ２２］
インターフェースデバイスに関する情報を管理するためのコンピュータプログラム製品であって、前記製品は、
前記インターフェースデバイスのユーザと人物の目下の物理的遭遇を検出することと、
前記ユーザと人物の非物理的遭遇を検出することと、
検出された目下の物理的遭遇が最初の遭遇であるか、後続の遭遇であるかを決定することと、
前記目下の物理的遭遇が最初の遭遇であるとき、以前遭遇した人物のデータベースに前記人物に関連付けられたコンテンツを追加することと、
前記目下の物理的遭遇が後続の遭遇である、すなわち目下の非物理的遭遇が検出されるとき、前記人物が前記ユーザによって知られているかどうかを決定することと、
前記人物が前記ユーザによって知られていないとき、前記人物に対応する情報を前記インターフェースデバイスに提示することと、
のためのコードを備える、１つまたは複数のコンピュータ可読媒体、
を備える、コンピュータプログラム製品。
［Ｃ２３］
インターフェースデバイスに関する情報を管理するための方法であって、前記方法は、
前記インターフェースデバイスのユーザと人物の目下の物理的遭遇の検出の指示を受信することと、
前記目下の物理的遭遇が最初の遭遇であるか、後続の遭遇であるかを決定することと、
前記目下の物理的遭遇が最初の遭遇であるとき、以前遭遇した人物のデータベースに前記人物に関連付けられたコンテンツを追加することと、
を備える、方法。
［Ｃ２４］
前記目下の物理的遭遇が最初の遭遇であるか、後続の遭遇であるかを決定することは、
前記ユーザによって以前遭遇された人々の画像のデータベースにおける画像と、前記人物の画像を比較することと、
前記人物の前記画像が、前記データベースにおける画像に一致しない場合、前記目下の物理的遭遇が最初の遭遇であると結論付けることと、
前記人物の前記画像が、前記データベースにおける画像に一致する場合、前記目下の物理的遭遇が後続の遭遇であると結論付けることと、
を備える、Ｃ２３に記載の方法。
［Ｃ２５］
前記目下の物理的遭遇が後続の遭遇であるとき、前記人物が前記ユーザによって知られているかどうかを決定することと、
前記人物が前記ユーザによって知られていないとき、前記人物に対応する情報を前記インターフェースデバイスに提示することと、
をさらに備える、Ｃ２３に記載の方法。
［Ｃ２６］
前記人物が前記ユーザによって知られているかどうかを決定することは、
前記人物の目下の属性を取得することと、
前記人物の前記属性に一致するデータベース内の属性に関連付けられたタグのために、既知の人物の前記データベースを走査することと、ここにおいて、前記タグは、前記人物が前記ユーザによって知られていることを示す、
を備える、Ｃ２５に記載の方法。
［Ｃ２７］
前記インターフェースデバイスに情報を提示することは、前記人物の属性に一致するデータベース内の属性に関連付けられた情報のために、前記データベースを走査することを備え、前記情報は、前記人物の識別、および前記ユーザと前記人物の以前の遭遇の概要、のうちの少なくとも１つを含む、Ｃ２５に記載の方法。
［Ｃ２８］
インターフェースデバイスに関する情報を管理するための装置であって、前記装置は、
前記インターフェースデバイスのユーザと人物の目下の物理的遭遇の検出の指示を受信するための手段と、
前記目下の物理的遭遇が最初の遭遇であるか、後続の遭遇であるかを決定するための手段と、
前記目下の物理的遭遇が最初の遭遇であるとき、以前遭遇した人物のデータベースに前記人物に関連付けられたコンテンツを追加するための手段と、
を備える、装置。
［Ｃ２９］
前記目下の物理的遭遇が最初の遭遇であるか、後続の遭遇であるかを決定するための前記手段は、
前記ユーザによって以前遭遇された人々の画像のデータベースにおける画像と、前記人物の画像を比較することと、
前記人物の前記画像が、前記データベースにおける画像に一致しない場合、前記目下の物理的遭遇が最初の遭遇であると結論付けることと、
前記人物の前記画像が、前記データベースにおける画像に一致する場合、前記目下の物理的遭遇が後続の遭遇であると結論付けることと、
を行うように構成される、Ｃ２８に記載の装置。
［Ｃ３０］
前記目下の物理的遭遇が後続の遭遇であるとき、前記人物が前記ユーザによって知られているかどうかを決定するための手段と、
前記人物が前記ユーザによって知られていないとき、前記人物に対応する情報を前記インターフェースデバイスに提示するための手段と、
をさらに備える、Ｃ２８に記載の装置。
［Ｃ３１］
前記人物が前記ユーザによって知られているかどうかを決定するための前記手段は、
前記人物の目下の属性を取得することと、
前記人物の前記属性に一致するデータベース内の属性に関連付けられたタグのために、既知の人物の前記データベースを走査することと、ここにおいて、前記タグは、前記人物が前記ユーザによって知られていることを示す、
を行うように構成される、Ｃ３０に記載の装置。
［Ｃ３２］
前記インターフェースデバイスに情報を提示するための手段は、前記人物の属性に一致するデータベース内の属性に関連付けられた情報のために、前記データベースを走査するように構成され、前記情報は、前記人物の識別、および前記ユーザと前記人物の以前の遭遇の概要、のうちの少なくとも１つを含む、Ｃ３０に記載の装置。
［Ｃ３３］
インターフェースデバイスに関する情報を管理するための装置であって、前記装置は、
前記インターフェースデバイスのユーザと人物の目下の物理的遭遇の検出の指示を受信することと、
前記目下の物理的遭遇が最初の遭遇であるか、後続の遭遇であるかを決定することと、
前記目下の物理的遭遇が最初の遭遇であるとき、以前遭遇した人物のデータベースに前記人物に関連付けられたコンテンツを追加することと、
を行うように構成された処理システム、
を備える、装置。
［Ｃ３４］
インターフェースデバイスに関する情報を管理するためのコンピュータプログラム製品であって、前記製品は、
前記インターフェースデバイスのユーザと人物の目下の物理的遭遇の検出の指示を受信することと、
前記目下の物理的遭遇が最初の遭遇であるか、後続の遭遇であるかを決定することと、
前記目下の物理的遭遇が最初の遭遇であるとき、以前遭遇した人物のデータベースに前記人物に関連付けられたコンテンツを追加することと、
のためのコードを備える１つまたは複数のコンピュータ可読媒体、
を備える、コンピュータプログラム製品。
［Ｃ３５］
検出デバイスのユーザと別の人物の物理的対話を検出する方法であって、前記方法は、
前記ユーザのボディ部から感知された電気的活動が、前記物理的対話に関連付けられた前記ユーザによる第１のアクションを示すかどうかを決定することと、
前記ユーザのボディ部から感知された動き活動が、前記物理的対話に関連付けられた前記ユーザによる第２のアクションを示すかどうかを決定することと、
を備える、方法。
［Ｃ３６］
感知された電気的活動が第１のアクションを示すかどうかを決定することは、
前記第１のアクションに対応する電気的活動の基準と、前記感知された電気的活動を比較することと、
前記基準が満たされるとき、前記第１のアクションが生じたと結論付けることと、
を備える、Ｃ３５に記載の方法。
［Ｃ３７］
感知された動き活動が第２のアクションを示すかどうかを決定することは、
前記第２のアクションに対応する動き活動の基準と、前記感知された動き活動を比較することと、
前記基準が満たされるとき、前記第２のアクションが生じたと結論付けることと、
を備える、Ｃ３５に記載の方法。
［Ｃ３８］
前記第１のアクションは手の掌握を備え、前記第２のアクションが上下の腕の運動を備える、Ｃ３５に記載の方法。
［Ｃ３９］
検出デバイスのユーザと別の人物の物理的対話を検出する装置であって、前記装置は、
前記ユーザのボディ部から感知された電気的活動が、前記物理的対話に関連付けられた前記ユーザによる第１のアクションを示すかどうかを決定するための手段と、
前記ユーザのボディ部から感知された動き活動が、前記物理的対話に関連付けられた前記ユーザによる第２のアクションを示すかどうかを決定するための手段と、
を備える、装置。
［Ｃ４０］
感知された電気的活動が第１のアクションを示すかどうかを決定するための前記手段は、
前記第１のアクションに対応する電気的活動の基準と、前記感知された電気的活動を比較することと、
前記基準が満たされるとき、前記第１のアクションが生じたと結論付けることと、
を行うように構成される、Ｃ３９に記載の装置。
［Ｃ４１］
感知された動き活動が第２のアクションを示すかどうかを決定するための前記手段は、
前記第２のアクションに対応する動き活動の基準と、前記感知された動き活動を比較することと、
前記基準が満たされるとき、前記第２のアクションが生じたと結論付けることと、
を行うように構成される、Ｃ３９に記載の装置。
［Ｃ４２］
前記第１のアクションは手の掌握を備え、前記第２のアクションが上下の腕の運動を備える、Ｃ３９に記載の装置。
［Ｃ４３］
検出デバイスのユーザと別の人物の物理的対話を検出するための装置であって、前記装置は、
前記ユーザのボディ部から感知された電気的活動が、前記物理的対話に関連付けられた前記ユーザによる第１のアクションを示すかどうかを決定することと、
前記ユーザのボディ部から感知された動き活動が、前記物理的対話に関連付けられた前記ユーザによる第２のアクションを示すかどうかを決定することと、
を行うように構成された処理システム、
を備える、装置。
［Ｃ４４］
検出デバイスのユーザと別の人物の物理的対話を検出するためのコンピュータプログラム製品であって、前記製品は、
前記ユーザのボディ部から感知された電気的活動が、前記物理的対話に関連付けられた前記ユーザによる第１のアクションを示すかどうかを決定することと、
前記ユーザのボディ部から感知された動き活動が、前記物理的対話に関連付けられた前記ユーザによる第２のアクションを示すかどうかを決定することと、
のためのコードを備えるコンピュータ可読媒体、
を備える、コンピュータプログラム製品。